(57)【要約】【課題】イメージ信号の影響を抑える。【解決手段】ラジオ受信機であって、局部発振信号を用いて受信信号をＩＦ信号に変換するミキサと、前記ＩＦ信号の帯域を制限して出力するＩＦ処理部と、前記ＩＦ処理部から出力されたＩＦ信号を復調する検波部と、受信したい信号に対応した周波数制御信号を生成する周波数制御部と、前記周波数制御信号に従って前記局部発振信号を生成して出力する局部発振部とを有する。前記周波数制御部は、イメージ信号の影響を受けていることを通知されている場合には、前記局部発振信号の周波数を変更するように、かつ、変更前後の周波数の差が前記ＩＦ信号の周波数以下となるように、前記周波数制御信号を生成する。【選択図】図１
2009231883.tif 000002
【特許請求の範囲】
【請求項１】
局部発振信号を用いて受信信号をＩＦ（intermediate frequency）信号に変換するミキサと、
前記ＩＦ信号の帯域を制限して出力するＩＦ処理部と、
前記ＩＦ処理部から出力されたＩＦ信号を復調する検波部と、
受信したい信号に対応した周波数制御信号を生成する周波数制御部と、
前記周波数制御信号に従って前記局部発振信号を生成して出力する局部発振部とを備え、
前記周波数制御部は、
イメージ信号の影響を受けていることを通知されている場合には、前記局部発振信号の周波数を変更するように、かつ、変更前後の周波数の差が前記ＩＦ信号の周波数以下となるように、前記周波数制御信号を生成する
ことを特徴とするラジオ受信機。
【請求項２】
請求項１に記載のラジオ受信機において、
前記局部発振部は、
前記局部発振信号を生成するＰＬＬ回路を有しており、
前記ＰＬＬ回路の分周比が、前記周波数制御信号によって指定される
ことを特徴とするラジオ受信機。
【請求項３】
請求項１に記載のラジオ受信機において、
前記局部発振部は、
前記局部発振信号を生成するための基準信号として前記周波数制御信号を用いる
ことを特徴とするラジオ受信機。
【請求項４】
請求項１に記載のラジオ受信機において、
前記周波数制御部は、
前記周波数制御信号に対応する信号を前記ＩＦ処理部に出力し、
前記ＩＦ処理部は、
前記周波数制御信号に対応する信号に従って、前記ＩＦ信号の通過帯域を変更する
ことを特徴とするラジオ受信機。
【請求項５】
受信したい信号に応じた周波数の局部発振信号を用いて、受信信号をＩＦ信号に変換し、イメージ信号の強度を測定するステップと、
前記局部発振信号の周波数を、変更前後の周波数の差が前記ＩＦ信号の周波数以下となるように変更し、イメージ信号の強度を測定するステップと、
前記イメージ信号の強度の測定結果に従って、イメージ信号の影響が小さくなるように、前記局部発振信号の周波数を設定するステップと
を備えるラジオ受信方法。
【発明の詳細な説明】
【技術分野】
【０００１】
本発明は、送信された信号を受信するラジオ受信機に関する。
【背景技術】
【０００２】
ラジオ受信機には、スーパーへテロダイン方式が一般的に用いられている。スーパーへテロダイン方式では、受信信号を常に所定の周波数のＩＦ（中間周波数：intermediate frequency）信号に変換する。このため、この方式には、フィルタの通過帯域を固定することができるので妨害波を減衰させやすい（混信に強い）、容易に増幅回路を構成することができる、受信感度が良い、等の利点がある。また、特に強い妨害波が存在する条件下では、ＩＦ信号の処理の際に帯域が可変のフィルタを使用することにより、妨害波を排除する性能を向上させることもできる。
【０００３】
図９（ａ）は、ミキサの入出力信号の周波数を示す模式図である。図９（ｂ），（ｃ）は、希望局信号とイメージ信号との間の周波数の関係の例を示す説明図である。
【０００４】
ＡＭ／ＦＭ放送を合理化して受信するため、受信信号をＩＦ信号に変換するミキサ回路には電圧制御発振器（ＶＣＯ）の発振信号を分周して入力することが一般的となっている。分周後の発振信号を局部発振信号と称することとする。図９（ｂ），（ｃ）に示されているように、受信したい信号である希望局信号の周波数ｆｄ、ＩＦ信号周波数ｆｉｆ、局部発振信号の周波数（局部発振周波数）ｆＶＣＯの間に、次の２式、すなわち、
ｆＶＣＯ＝ｆｄ＋ｆｉｆ  …（１）
ｆＶＣＯ＝ｆｄ−ｆｉｆ  …（２）
のいずれの関係があっても、同じ周波数のＩＦ信号が得られる。式（１）（図９（ｂ））の場合は上側ヘテロダインと呼ばれ、式（２）の場合は下側ヘテロダインと呼ばれている。
【０００５】
このとき、式（１）の場合には、
ｆｉｍ＝ｆＶＣＯ＋ｆｉｆ  …（３）
式（２）の場合には、
ｆｉｍ＝ｆＶＣＯ−ｆｉｆ  …（４）
を満たす周波数ｆｉｍの信号（イメージ信号と呼ばれる）についても、希望局信号のＩＦ信号と同じ周波数のＩＦ信号が得られる。
【０００６】
このようなイメージ信号が存在すると、希望局信号の受信の際の妨害（イメージ妨害と呼ばれる）となり、受信機の希望局信号に対する受信性能が悪化する。したがって、イメージ信号の影響をなんらかの方法で除去する必要がある。イメージ信号による妨害の強いエリアで受信性能を確保するためには、受信機が８０〜９０ｄＢのイメージ除去比を有することが望ましい。
【０００７】
イメージ信号を除去するために、イメージ信号除去機能を有するミキサを使ったラジオ受信機が良く知られているが、そのイメージ除去比は、４０〜５０ｄＢ程度である。ミキサの前段に、希望信号を通過させ、イメージ信号を減衰させるような帯域フィルタを挿入する方法も良く知られているが、ＩＦ信号の周波数が数百ｋＨｚであるラジオ受信機においては、イメージ信号を充分に減衰させることができないので、このような帯域フィルタは有益な手段ではない。
【０００８】
そこで、イメージ妨害の影響を生じにくい周波数の信号を用いる受信機が考えられるようになった。このような受信機の例が、特許文献１に開示されている。この受信機は、図９（ｂ）の場合と図９（ｃ）の場合とでイメージ信号強度を測定し、イメージ信号強度が弱くなる方の局部発振信号を採用して、イメージ信号の影響を受けにくいようにしていた。
【特許文献１】国際公開第ＷＯ２００１／０４８９０９号パンフレット
【発明の開示】
【発明が解決しようとする課題】
【０００９】
しかしながら、特許文献１の受信機は、図９（ｂ）の場合及び図９（ｃ）の場合のいずれにおいてもイメージ信号強度が強い場合には、所望のイメージ除去比を満足することができず、希望局信号を妨害なしに受信することができない。
【００１０】
図９（ｂ）の場合と図９（ｃ）の場合との間で、イメージ信号の周波数差は４×ｆｉｆに相当する。例えば、ＩＦ信号の周波数を５００ｋＨｚに選んだ場合には、イメージ信号の周波数差は２ＭＨｚであるので、周波数が２ＭＨｚ離れた信号の間で強度を比較することになる。ＦＭ放送のバンドでは、周波数が２ＭＨｚ離れた２つの信号の組み合わせは無数に存在し、両者の強度が共に強い可能性は低くはない。
【００１１】
本発明は、イメージ信号の影響を抑えることができるラジオ受信機を提供することを目的とする。
【課題を解決するための手段】
【００１２】
本発明に係るラジオ受信機は、局部発振信号を用いて受信信号をＩＦ信号に変換するミキサと、前記ＩＦ信号の帯域を制限して出力するＩＦ処理部と、前記ＩＦ処理部から出力されたＩＦ信号を復調する検波部と、受信したい信号に対応した周波数制御信号を生成する周波数制御部と、前記周波数制御信号に従って前記局部発振信号を生成して出力する局部発振部とを有する。前記周波数制御部は、イメージ信号の影響を受けていることを通知されている場合には、前記局部発振信号の周波数を変更するように、かつ、変更前後の周波数の差が前記ＩＦ信号の周波数以下となるように、前記周波数制御信号を生成する。
【００１３】
これによると、局部発振信号の周波数を変更可能なので、イメージ信号の影響を抑えることができる。変更前後の周波数の差がＩＦ信号の周波数以下であるので、局部発振信号の周波数と希望局信号の周波数との間の大小関係が反転しない。
【発明の効果】
【００１４】
本発明によれば、局部発振信号の周波数が固定されていないので、イメージ信号の影響を回避することが可能となる。
【発明を実施するための最良の形態】
【００１５】
以下、本発明の実施の形態について、図面を参照しながら説明する。
【００１６】
（第１の実施形態）
図１は、本発明の第１の実施形態に係るラジオ受信機の構成を示すブロック図である。図１のラジオ受信機は、ＲＦ処理部４と、ミキサ６と、ＩＦ処理部８と、検波部１２と、周波数制御部１４と、局部発振部１６とを有している。
【００１７】
ＲＦ処理部４は、アンテナ２で受信された信号に、増幅、帯域制限等の処理を行って出力する。ミキサ６は、ＲＦ処理部４から出力された受信信号を、局部発振信号を用いてＩＦ信号に変換して出力する。ＩＦ処理部８は、ミキサ６から出力されたＩＦ信号に対して帯域制限、利得制御及びイメージ信号強度の測定を行い、処理後のＩＦ信号を出力する。検波部１２は、ＩＦ処理部８から出力されたＩＦ信号を復調し、得られた音声信号を出力する。
【００１８】
周波数制御部１４は、希望局信号の周波数を指定する受信設定信号ＳＴＧをＣＰＵ等のコントローラから受け取り、受信したい希望局信号の周波数に対応した分周比ＤＶＮ（周波数制御信号）を求めて出力する。また、周波数制御部１４は、イメージ信号強度ＩＭＳに応じて分周比ＤＶＮを変更する。周波数制御部１４で用いられるイメージ信号強度ＩＭＳは、ＩＦ処理部８で測定された値である。なお、ＲＦ処理部４等において、ミキサ６に入力される前の高周波信号からイメージ信号の強度を測定し、その測定値を周波数制御部１４がイメージ信号強度ＩＭＳとして用いるようにしてもよい。
【００１９】
局部発振部１６は、基準信号ＲＥＦを用いて分周比ＤＶＮに従って局部発振信号を生成し、ミキサ６に出力する。局部発振部１６は、分周器２２，３２と、位相比較器２４と、低域通過フィルタ（以下ではＬＰＦと称する）２６と、電圧制御発振器（以下ではＶＣＯと称する）２８とを有している。分周器２２、位相比較器２４、ＬＰＦ２６、及びＶＣＯ２８は、ＰＬＬ回路を構成している。
【００２０】
分周器２２は、ＶＣＯ２８の出力信号を分周比ＤＶＮで分周し、出力する。位相比較器２４は、基準信号ＲＥＦと分周器２２の出力との間で位相を比較し、その結果をＬＰＦ２６に出力する。ＬＰＦ２６は、位相比較器２４の出力を平滑化して出力する。ＶＣＯ２８は、ＬＰＦ２６の出力電圧に応じた周波数の信号を生成して出力する。分周器３２は、ＶＣＯ２８の出力信号を所定の分周比（たとえば３）で分周し、分周後の信号を局部発振信号としてミキサ６に出力する。分周器３２の分周比を変更することにより、ワールドワイド受信や、ＡＭ放送の受信とＦＭ放送の受信との両立が可能となる。
【００２１】
図２（ａ）は、局部発振周波数ｆＶＣＯが希望局信号の周波数ｆｄより高い場合における、希望局信号の周波数ｆｄとイメージ信号周波数ｆｉｍとの間の関係の例を示す説明図である。図２（ｂ），（ｃ）は、局部発振信号ｆＶＣＯの周波数を図２（ａ）の場合よりも高くした場合、及び低くした場合のそれぞれについて、図２（ａ）に示された各周波数の例を示す説明図である。
【００２２】
図２（ａ）のように、希望局信号の周波数ｆｄ、局部発振周波数ｆＶＣＯ、及びイメージ信号周波数ｆｉｍの間に、
ｆＶＣＯ−ｆｄ＝ｆｉｍ−ｆＶＣＯ＝ｆｉｆ
の関係を満たすイメージ信号周波数ｆｉｍを有するイメージ信号が存在する場合には、周波数ｆｉｆのＩＦ信号には、希望局信号とイメージ信号とが混在してしまう。
【００２３】
周波数制御部１４は、図２（ａ）のようなイメージ信号周波数ｆｉｍに希望局以外の局の信号が存在することをイメージ信号強度ＩＭＳによって通知されると、分周比ＤＶＮを変更して局部発振部１６に出力する。局部発振部１６は、分周比ＤＶＮに応じた周波数に局部発振信号の周波数を変更する。このとき、周波数制御部１４は、変更後の局部発振周波数と変更前の局部発振周波数ｆＶＣＯとの差が、ＩＦ信号の周波数ｆｉｆ以下であるようにする。
【００２４】
例えば、周波数制御部１４は、局部発振周波数ｆＶＣＯが高くなるように分周比ＤＶＮを変更する。図２（ｂ）のように局部発振周波数が周波数ｆＶＣＯ＿ｐ、ＩＦ信号の周波数が周波数ｆｉｆ＿ｐになるとすると、イメージ信号周波数は周波数ｆｉｍ＿ｐになるので、周波数ｆｉｍを有するイメージ信号はＩＦ信号には含まれなくなり、イメージ信号の影響を回避したり、抑えることができるようになる。
【００２５】
また、周波数制御部１４は、局部発振周波数ｆＶＣＯが低くなるように分周比ＤＶＮを変更してもよい。図２（ｃ）のように局部発振周波数が周波数ｆＶＣＯ＿ｕ、ＩＦ信号の周波数が周波数ｆｉｆ＿ｕになるとすると、イメージ信号周波数は周波数ｆｉｍ＿ｕになるので、周波数ｆｉｍを有するイメージ信号はＩＦ信号には含まれなくなり、イメージ信号の影響を回避したり、抑えることができるようになる。
【００２６】
変更後の局部発振周波数ｆＶＣＯ＿ｐ又はｆＶＣＯ＿ｕと変更前の局部発振周波数ｆＶＣＯとの差が、ＩＦ信号の周波数ｆｉｆ以下であるので、変更後の局部発振周波数ｆＶＣＯ＿ｐが希望局信号の周波数ｆｄより小さくなることはない。
【００２７】
周波数制御部１４は、具体的には、例えば複数の設定値を格納しており、各設定値を分周比ＤＶＮとして出力し、各設定値に対応する局部発振信号に対して測定されたイメージ信号強度の中で値が最小となるような設定値を求め、最終的な分周比ＤＶＮとして出力する。分周比ＤＶＮを生成することにより局部発振周波数を変更するので、ＣＰＵ等によりソフトウェア的に変更することが容易に可能となる。
【００２８】
図３は、希望局信号及びその他の局の信号のスペクトラム図である。図３には、希望局信号のスペクトラムＳｄと、他局の信号のスペクトラムＳｕ１，Ｓｕ２とが示されている。実際の送信信号のスペクトラムは、このようにある程度の広がりを持っている。局部発振周波数の変更の際には、イメージ信号周波数ｆｉｍが他局の信号のスペクトラムＳｕ１，Ｓｕ２の範囲に入らないように、周波数制御部１４は、分周比ＤＶＮを選択する。
【００２９】
図４（ａ）は、局部発振周波数ｆＶＣＯが希望局信号の周波数ｆｄより低い場合における、希望局信号の周波数ｆｄとイメージ信号周波数ｆｉｍとの間の関係の例を示す説明図である。図４（ｂ），（ｃ）は、局部発振信号ｆＶＣＯの周波数を図４（ａ）の場合よりも高くした場合、及び低くした場合のそれぞれについて、図４（ａ）に示された各周波数の例を示す説明図である。
【００３０】
局部発振周波数ｆＶＣＯが希望局信号の周波数ｆｄより低い場合においても、図２（ａ）のように局部発振周波数ｆＶＣＯが希望局信号の周波数ｆｄより高い場合と同様に、周波数制御部１４は動作する。すなわち、周波数制御部１４は、図４（ａ）のようなイメージ信号周波数ｆｉｍに希望局以外の局の信号が存在することをイメージ信号強度ＩＭＳによって認識すると、分周比ＤＶＮを変更して局部発振部１６に出力する。局部発振部１６は、分周比ＤＶＮに応じた周波数に局部発振信号の周波数を変更する。このとき、変更後の局部発振周波数と変更前の局部発振周波数ｆＶＣＯとの差が、ＩＦ信号の周波数ｆｉｆ以下であるようにする。
【００３１】
ＩＦ信号の周波数を例えば５００ｋＨｚに設定し、局部発振周波数を高い方向及び低い方向に２００ｋＨｚずらした場合を考える。日本のＦＭ放送局の送信周波数間隔は、最小２００ｋＨｚであり、２００ｋＨｚ毎に連続して強度の強い信号が３つ存在するケースは稀であるので、３通りの局部発振周波数の設定からイメージ信号の影響のない設定を選択することができる。
【００３２】
また、使用可能な局部発振周波数を４つ以上設定するようにしてもよい。この場合には、隣接局が多数存在する欧州で使用する場合についても、イメージ信号の影響を受ける可能性をより小さくすることができる。
【００３３】
図５は、図１のラジオ受信機の変形例の構成を示すブロック図である。図５のラジオ受信機は、周波数制御部１４に代えて周波数制御部１１４を有している点が、図１のラジオ受信機とは異なっている。図５の場合には、分周比ＤＶＮを例えば所定の固定値とする。
【００３４】
周波数制御部１１４は、希望局信号の周波数を指定する受信設定信号ＳＴＧをＣＰＵ等のコントローラから受け取り、受信したい希望局信号の周波数に対応した周波数の基準信号ＲＥＦを周波数制御信号として求めて出力する。また、周波数制御部１１４は、イメージ信号強度ＩＭＳに応じて基準信号ＲＥＦの周波数を変更する。局部発振部１６は、基準信号ＲＥＦを用いて局部発振信号を生成する。周波数制御部１１４で用いられるイメージ信号強度ＩＭＳは、周波数制御部１４の場合と同様に、ＩＦ処理部８で測定された値であってもよいし、ＲＦ処理部４等においてミキサ６に入力される前の高周波信号から測定されたイメージ信号の強度であってもよい。
【００３５】
周波数制御部１１４は、図２（ａ）のようなイメージ信号周波数ｆｉｍに希望局以外の局の信号が存在することをイメージ信号強度ＩＭＳによって通知されると、基準信号ＲＥＦの周波数を変更して局部発振部１６に出力する。局部発振部１６は、基準信号ＲＥＦの周波数に応じた周波数に局部発振信号の周波数を変更する。このとき、周波数制御部１１４は、変更後の局部発振周波数と変更前の局部発振周波数ｆＶＣＯとの差が、ＩＦ信号の周波数ｆｉｆ以下であるようにする。
【００３６】
以上のように、図１及び図５のラジオ受信機によると、局部発振周波数をわずかに変化させ、イメージ信号の影響が最も小さい設定を選択することにより、イメージ信号の影響をできるだけ受けないようにすることができる。本来のイメージ除去比が４０〜５０ｄＢの受信機であっても、イメージ除去比８０〜９０ｄＢの受信機と同等の性能を得ることができるようになる。
【００３７】
（第２の実施形態）
図６は、本発明の第２の実施形態に係るラジオ受信機の構成を示すブロック図である。図６のラジオ受信機は、ＩＦ処理部８、周波数制御部１４、及び局部発振部１６に代えてＩＦ処理部２０８、周波数制御部２１４、及び局部発振部２１６をそれぞれ有し、ミキサ７と、水晶発振器１８とを更に有する点が、図１のラジオ受信機とは異なっている。その他の構成要素は図１のラジオ受信機と同様であるので、同一の参照番号を付してその説明を省略する。
【００３８】
局部発振部２１６は、分周器３２に代えて分周器２３２を有している点が、図１の局部発振部１６とは異なっている。分周器２３２は、ＶＣＯ２８の出力信号を分周して、ミキサ６，７に出力する。分周器２３２は、ミキサ６に出力する信号とミキサ７に出力する信号との間に、９０度の位相差が存在するようにしている。ミキサ６，７はいずれも、ＲＦ処理部４から出力された受信信号を、局部発振信号を用いてＩＦ信号に変換して出力する。ミキサ６の出力はＩ信号、ミキサ７の出力はＱ信号としてＩＦ処理部２０８に与えられる。
【００３９】
ＩＦ処理部２０８は、ミキサ６，７から出力されたＩＦ信号に対して帯域制限、及び利得制御を行い、処理後のＩＦ信号を検波部１２に出力する。また、ＩＦ処理部２０８は、Ｉ信号及びＱ信号の位相及び振幅の情報から、イメージ信号強度を測定し、測定されたイメージ信号強度ＩＭＳを周波数制御部２１４に出力する。
【００４０】
周波数制御部２１４は、Ｎ値制御部４２と、Ｎ値生成回路４４とを有している。水晶発振器１８は、基準信号ＲＥＦを位相比較器２４に出力し、クロックをＮ値制御部４２に出力している。Ｎ値制御部４２は、イメージ信号強度ＩＭＳが小さくなるように、分周比制御信号ＣＴＲを生成し、Ｎ値生成回路４４及びＩＦ処理部２０８に出力する。
【００４１】
Ｎ値生成回路４４は、希望局信号の周波数を指定する受信設定信号ＳＴＧをＣＰＵ等のコントローラから受け取り、受信したい希望局信号の周波数に対応した分周比ＤＶＮ（周波数制御信号）を求めて出力する。また、Ｎ値生成回路４４は、分周比制御信号ＣＴＲに応じて分周比ＤＶＮを変更する。
【００４２】
例えば、Ｎ値生成回路４４は、受信設定信号ＳＴＧに従ってＮ値（分周比）として複数の値Ｎ，Ｎ−Ｐ，Ｎ＋Ｐ（Ｎ，Ｐは自然数）を生成し、この中から分周比制御信号ＣＴＲで指定された値のみを分周器２２に出力する。Ｎ値生成回路４４は、値Ｎ等をＣＰＵ等から受け取るようにしてもよい。
【００４３】
図７は、図６のラジオ受信機の動作の例を示すタイミングチャートである。図８は、信号ＣＴＲ１，ＣＴＲ２とＮ値生成回路４４から出力される分周比との間の関係を示す説明図である。分周比制御信号ＣＴＲは、信号ＣＴＲ１，ＣＴＲ２を含んでいる。希望局信号の周波数ｆｄとイメージ信号周波数ｆｉｍとの間に図２（ａ）のような関係がある場合について、図７及び図８を参照して図６のラジオ受信機の動作を説明する。
【００４４】
まず、Ｎ値生成回路４４は、値Ｎを分周比ＤＶＮとして出力する。このとき、信号ＣＴＲ１，ＣＴＲ２は、いずれも“Ｌ”（低電位）である。局部発振部２１６は、分周比ＤＶＮに応じた周波数の局部発振信号を出力し、ＩＦ処理部２０８は、イメージ信号強度を測定し、測定された強度をＶｉｍ０とする。
【００４５】
次に、Ｎ値制御部４２は、信号ＣＴＲ１を“Ｈ”（高電位）にする。すると、Ｎ値生成回路４４は、値Ｎ＋Ｐを分周比ＤＶＮとして出力する。局部発振部２１６は、分周比ＤＶＮに応じた周波数の局部発振信号を出力する。また、ＩＦ処理部２０８は、信号ＣＴＲ１，ＣＴＲ２に従って、例えばフィルタの通過帯域の中心周波数や帯域幅等のＩＦ処理に必要なパラメータの変更を行う。各周波数は、図２（ｂ）のような関係となる。ＩＦ処理部２０８は、イメージ信号強度を測定し、測定された強度をＶｉｍ＿ｐとする。
【００４６】
局部発振周波数をずらすことで、ＩＦ信号の周波数もずれることになる。隣接局による妨害対策等のために非常に狭帯域なフィルタをＩＦ処理部が有している場合には、ＩＦ信号の周波数ずれが問題となる場合がある。信号ＣＴＲ１，ＣＴＲ２に従って、ＩＦ信号の周波数のずれに合わせてＩＦ処理部２０８のフィルタの通過帯域の中心周波数を変更すれば、このような問題を回避し、受信性能の悪化を防ぐことができる。
【００４７】
次に、Ｎ値制御部４２は、信号ＣＴＲ１を“Ｌ”に、信号ＣＴＲ２を“Ｈ”にする。すると、Ｎ値生成回路４４は、値Ｎ−Ｐを分周比ＤＶＮとして出力する。局部発振部２１６は、分周比ＤＶＮに応じた周波数の局部発振信号を出力する。また、ＩＦ処理部２０８は、信号ＣＴＲ１，ＣＴＲ２に従って、例えばフィルタの中心周波数や帯域等のＩＦ処理に必要なパラメータの変更を行う。各周波数は、図２（ｃ）のような関係となる。ＩＦ処理部２０８は、イメージ信号強度を測定し、測定された強度をＶｉｍ＿ｕとする。
【００４８】
以上の局部発振信号の周波数変更の際には、ロックアップのための時間Ｌｏを考慮に入れることが望ましい。測定された３つのイメージ信号強度は、全てＮ値制御部４２に保持される。
【００４９】
次に、待ち時間Ｄの後に、Ｎ値制御部４２が判定を行う。３つのイメージ信号強度のうち、イメージ信号強度Ｖｉｍ＿ｕが最も小さいとすると、Ｎ値制御部４２は、待ち時間Ｄの後に、信号ＣＴＲ１を“Ｌ”に、信号ＣＴＲ２を“Ｈ”にする。このとき以降、Ｎ値生成回路４４は、値Ｎ−Ｐを分周比ＤＶＮとして出力する。
【００５０】
ロックアップのための時間Ｌｏの後、図６の受信機は、通常の受信状態に復帰する。各周波数は、図２（ｃ）のような関係となり、分周比ＤＶＮが値Ｎ，Ｎ−Ｐ，Ｎ＋Ｐである３つの場合のうち最もイメージ信号の影響を受けないように、図６のラジオ受信機が動作する。
【００５１】
値Ｐの設定方法について説明する。値Ｎ及び局部発振周波数の最小分解能Δｆｍｉｎは、
Ｎ＝ＦＶＣＯＸ／Ｆｒｅｆ
Δｆｍｉｎ＝Ｆｒｅｆ／Ｍｄｉｖ
で表される。ここで、ＦＶＣＯＸはＶＣＯ２８の発振周波数、Ｆｒｅｆは基準信号ＲＥＦの周波数、Ｍｄｉｖは分周器２３２の分周比である。
【００５２】
これらの式より、例えば、基準信号ＲＥＦの周波数Ｆｒｅｆ＝５０ｋＨｚとし、分周器２３２の分周比を２とした場合には、最小分解能が２５ｋＨｚとなる。ＦＭ変調信号を受信する場合には、イメージ信号によって受信性能を悪化させないようにするためには、局部発振周波数を少なくとも５０ｋＨｚはずらしたい。したがって、例えばＰ＝２と設定する。このように、基準信号ＲＥＦの周波数、分周器２３２の分周比等の各ファクタを充分に考慮して値Ｐを決定することが望ましい。
【産業上の利用可能性】
【００５３】
以上説明したように、本発明は、イメージ信号の影響を抑えることができるので、ラジオ受信機等について有用である。
【図面の簡単な説明】
【００５４】
【図１】本発明の第１の実施形態に係るラジオ受信機の構成を示すブロック図である。
【図２】（ａ）は、局部発振周波数ｆＶＣＯが希望局信号の周波数ｆｄより高い場合における、希望局信号の周波数ｆｄとイメージ信号周波数ｆｉｍとの間の関係の例を示す説明図である。（ｂ），（ｃ）は、局部発振信号ｆＶＣＯの周波数を図２（ａ）の場合よりも高くした場合、及び低くした場合のそれぞれについて、図２（ａ）に示された各周波数の例を示す説明図である。
【図３】希望局信号及びその他の局の信号のスペクトラム図である。
【図４】（ａ）は、局部発振周波数ｆＶＣＯが希望局信号の周波数ｆｄより低い場合における、希望局信号の周波数ｆｄとイメージ信号周波数ｆｉｍとの間の関係の例を示す説明図である。（ｂ），（ｃ）は、局部発振信号ｆＶＣＯの周波数を図４（ａ）の場合よりも高くした場合、及び低くした場合のそれぞれについて、図４（ａ）に示された各周波数の例を示す説明図である。
【図５】図１のラジオ受信機の変形例の構成を示すブロック図である。
【図６】本発明の第２の実施形態に係るラジオ受信機の構成を示すブロック図である。
【図７】図６のラジオ受信機の動作の例を示すタイミングチャートである。
【図８】信号ＣＴＲ１，ＣＴＲ２とＮ値生成回路から出力される分周比との間の関係を示す説明図である。
【図９】（ａ）は、ミキサの入出力信号の周波数を示す模式図である。（ｂ），（ｃ）は、希望局信号とイメージ信号との間の周波数の関係の例を示す説明図である。
【符号の説明】
【００５５】
６  ミキサ
８，２０８  ＩＦ処理部
１２  検波部
１４，１１４，２１４  周波数制御部
１６，２１６  局部発振部
【図１】
2009231883.tif 000003
【図２】
2009231883.tif 000004
【図３】
2009231883.tif 000005
【図４】
2009231883.tif 000006
【図５】
2009231883.tif 000007
【図６】
2009231883.tif 000008
【図７】
2009231883.tif 000009
【図８】
2009231883.tif 000010
【図９】
2009231883.tif 000011